(57)【要約】  本発明は光線の強度に基づいて識別するインタラクション・システムを提供し、知能機械２と玩具１を含み、前記知能機械２は明るさの変化を表示するタッチパネルを備え、前記玩具１が知能機械２のタッチパネルにフィットして設けられ、玩具１の底部に光線測定電路１１が取り付けられ、前記玩具１はさらにＬＥＤ駆動電路１２と電磁コイル駆動電路１３を含み、光線測定電路１１の出力はそれぞれＬＥＤ駆動電路１２の入力と電磁コイル駆動電路１３の入力と接続され、光線測定電路１１は知能機械２のタッチパネルの表示画面の明かり信号を測定し、ＬＥＤ駆動電路１２と電磁コイル駆動電路１３に駆動信号を出力することで、ＬＥＤ駆動電路１２に玩具１のＬＥＤを駆動させて点灯、消灯又は明滅を実行させ、電磁コイル駆動電路１３を玩具１とともに振動させる。前記システムは直接光線測定電路１１を通して駆動信号を出力して知能機械２と実体玩具１の有効的なインタラクションを実現し、電路構造が簡単で製造コストが低く、実現しやすいメリットを持っている。【選択図】図２
2019525778.tif 000002
【特許請求の範囲】
【請求項１】
光線の強度に基づいて識別するインタラクション・システムであって、
知能機械と玩具を含み、
前記知能機械は玩具とのインタラクションを実現するタッチパネル及び知能機械の中に設けられてタッチパネルに明るさの変化を表示させる対応プログラムを備え、
前記玩具は前記知能機械のタッチパネルにフィットして設けられ、前記玩具の底部に前記知能機械のタッチパネルの明るさの変化を識別する光感応センサーが設けられ、  前記光感応センサーが光線測定電路を含み、
前記玩具はさらにＬＥＤ駆動電路と電磁コイル駆動電路を含み、
前記光線測定電路の出力はそれぞれＬＥＤ駆動電路の入力と電磁コイル駆動電路の入力とに接続され、光線測定電路は知能機械のタッチパネルの表示画面の明るさ信号を測定し、ＬＥＤ駆動電路と電磁コイル駆動電路に駆動信号を出力することで、ＬＥＤ駆動電路が玩具のＬＥＤを駆動させて点灯、消灯又は明滅を実行し、電磁コイル駆動電路を玩具とともに振動させる、
ということを特徴とする光線の強度に基づいて識別するインタラクション・システム。
【請求項２】
前記光線測定電路は光感応二極管Ｄ１、第一抵抗Ｒ１、第二抵抗Ｒ２と第一三極管Ｑ１を含み、
前記光感応二極管Ｄ１の陰極が第一電源ＶＣＣと接続され、光感応二極管Ｄ１の陽極が第一抵抗Ｒ１を通して接地し、前記光感応二極管Ｄ１と第一抵抗Ｒ１の共通ポートが前記第一三極管Ｑ１のベースと接続され、前記第一三極管Ｑ１の発射極を接地し、第一三極管Ｑ１のコレクターはそれぞれ前記第二抵抗Ｒ２の一端、前記ＬＥＤ駆動電路の入力端と前記電磁コイル駆動電路の出力端と接続され、
前記第二抵抗Ｒ２のもう一端を第一電源ＶＣＣと接続される、
ことを特徴とする請求項１に記載の光線の強度に基づいて識別するインタラクション・システム。
【請求項３】
前記ＬＥＤ駆動電路は第二三極管Ｑ２、第三抵抗Ｒ３と発光二極管ＬＥＤ１を含み、
前記第二三極管Ｑ２のベースが前記光線測定電路の出力端と接続され、第二三極管Ｑ２の発射極を接地し、第二三極管Ｑ２のコレクターは前記第三抵抗Ｒ３を通して前記発光二極管ＬＥＤ１の陰極と接続され、
前記発光二極管ＬＥＤ１の陽極が第一電源ＶＣＣに接続される、
ことを特徴とする請求項１に記載の光線の強度に基づいて識別するインタラクション・システム。
【請求項４】
前記電磁コイル駆動電路はＭＯＳ管Ｑ３と電磁コイルＬを含み、前記ＭＯＳ管Ｑ３のゲートは前記光線測定電路の出力端と接続され、ＭＯＳ管Ｑ３のソースを接地し、ＭＯＳ管Ｑ３のドレインが電磁コイルＬの陽極に接続され、
前記電磁コイルＬの陰極が第一電源ＶＣＣに接続される、
ことを特徴とする請求項１に記載の光線の強度に基づいて識別するインタラクション・システム。
【請求項５】
前記電磁コイル駆動電路はさらにコンデンサＣ１を含み、前記コンデンサＣ１が第一電源ＶＣＣとアースの間に接続されることを特徴とする請求項４に記載の光線の強度に基づいて識別するインタラクション・システム。
【請求項６】
前記光線測定電路はさらに第四抵抗Ｒ４、第五抵抗Ｒ５と第四三極管Ｑ４を含み、
前記第四抵抗Ｒ４と第五抵抗Ｒ５が直列接続されて第二電源の陽陰極の間に接続され、
前記第四抵抗Ｒ４と第五抵抗Ｒ５の共通ポートが前記第四三極管Ｑ４のベースに接続され、
前記第四三極管Ｑ４のコレクターが前記光感応二極管Ｄ１の陰極に接続され、前記第四三極管Ｑ４の発射極が前記第一電源ＶＣＣに接続される、
ことを特徴とする請求項２に記載の光線の強度に基づいて識別するインタラクション・システム。
【請求項７】
前記第一三極管Ｑ１はＮＰＮ型三極管であることを特徴とする請求項２又は６に記載の光線の強度に基づいて識別するインタラクション・システム。
【請求項８】
前記第二三極管Ｑ２はＮＰＮ型三極管であることを特徴とする請求項３に記載の光線の強度に基づいて識別するインタラクション・システム。
【請求項９】
前記ＭＯＳ管Ｑ３はＮ型ＭＯＳ管であることを特徴とする請求項４又は５に記載の光線の強度に基づいて識別するインタラクション・システム。
【請求項１０】
前記第四三極管Ｑ４はＰＮＰ型三極管であることを特徴とする請求項６に記載の光線の強度に基づいて識別するインタラクション・システム。
【発明の詳細な説明】
【技術分野】
【０００１】
本発明は玩具分野に関し、特に光線の強度に基づいて識別するインタラクション・システムに関わる。
【背景技術】
【０００２】
電子技術の発展に伴い、多種多様な子供の玩具が現れ、それらは子供の認知レベルを向上させることができるので、エデュテインメントの役割があり、例えば、光電効果を備える子供玩具は玩具の光の点灯、消灯又は明滅、又は振動を通し、子供に遊びを提供する。又、知能機械、例えば、携帯電話又はタブレット技術の進歩に伴い、知能機械を玩具とどのように結合し知能機械と玩具のインタラクションを形成するかということは、人々にとってさらに解決が必要な問題になった。先行技術では、玩具と知能機械は全て有線で接続され、つまり、玩具と知能機械の間は、一つの差込みケーブルで接続されて知能機械がゲームプログラムを運行し、ゲームプログラムの操作命令を利用して玩具を制御すると、各種の異なるゲームプログラムを運行することで、玩具に異なる各種の動作状態を発生させる。しかし、このような有線接続は一つの線で接続する必要があり、携帯が不便で、美観が影響される且つ玩具の遊びが不便であるなどの欠点がある。現有技術において、例えば、特許文献１の特許に開示した通り、玩具の中に無線通信モジュールを設置し、知能機械と玩具の間は無線通信モジュールを通して知能機械のゲームプログラムが発生した制御命令を玩具に伝送し、玩具の動作状態を制御する。有線伝送制御命令でも無線伝送制御命令でも、玩具を有効に知能機械と結合させてインタラクションを実現していない。
【先行技術文献】
【特許文献】
【０００３】
【特許文献１】中国特許出願公告第１０５０８０１４８号明細書
【発明の概要】
【発明が解決しようとする課題】
【０００４】
背景技術に説明した技術問題を克服するため、本発明は光線の強度に基づいて識別するインタラクション・システムを提供する。玩具に光感応センサーを取付け、知能機械のゲームプログラムを実行して明るさ変化の制御信号を提供し、玩具の光感応センサーに採集させることで、玩具の動作を制御する。このことで、知能機械と実体玩具の有効的なインタラクションが実現でき、電路構造が簡単で、製造コストが低く、実現しやすいメリットを持っている。
【課題を解決するための手段】
【０００５】
本発明が技術問題を解決するため採用する技術案は以下である。
【０００６】
光線の強度に基づいて識別するインタラクション・システムを提供する。それは以下のものを含む。
【０００７】
知能機械を含む。前記知能機械は玩具とのインタラクションを実現するタッチパネル及び知能機械の中に設けられてタッチパネルに明るさの変化を表示させる対応プログラムを備える；
玩具を含む、前記玩具は前記知能機械のタッチパネルにフィットして設けられ、前記玩具の底部に前記知能機械のタッチパネルの明るさの変化を識別する光感応センサーが設けられ、前記光感応センサーが光線測定電路を含む。前記玩具はさらにＬＥＤ駆動電路と電磁コイル駆動電路を含む。前記光線測定電路の出力はそれぞれＬＥＤ駆動電路の入力と電磁コイル駆動電路の入力と接続され、光線測定電路は知能機械のタッチパネルの表示画面の明かり信号を測定し、ＬＥＤ駆動電路と電磁コイル駆動電路に駆動信号を出力し、ＬＥＤ駆動電路に玩具のＬＥＤを駆動させて点灯、消灯又は明滅を実施させ、電磁コイル駆動電路を玩具とともに振動させる。
【０００８】
好ましい実施形態において、前記光線測定電路は光感応二極管Ｄ１、第一抵抗Ｒ１、第二抵抗Ｒ２と第一三極管Ｑ１を含む。前記光感応二極管Ｄ１の陰極が第一電源ＶＣＣと接続され、光感応二極管Ｄ１の陽極が第一抵抗Ｒ１を通して接地する。前記光感応二極管Ｄ１と第一抵抗Ｒ１の共通ポートが前記第一三極管Ｑ１のベースと接続される。前記第一三極管Ｑ１の発射極を接地し、第一三極管Ｑ１のコレクターはそれぞれ前記第二抵抗Ｒ２の一端、前記ＬＥＤ駆動電路の入力端と前記電磁コイル駆動電路の出力端と接続される。前記第二抵抗Ｒ２のもう一端が第一電源ＶＣＣと接続される。
【０００９】
好ましい実施形態において、前記ＬＥＤ駆動電路は第二三極管Ｑ２、第三抵抗Ｒ３と発光二極管ＬＥＤ１を含む。前記第二三極管Ｑ２のベースが前記光線測定電路の出力端と接続され、第二三極管Ｑ２の発射極を接地し、第二三極管Ｑ２のコレクターは前記第三抵抗Ｒ３を通して前記発光二極管ＬＥＤ１の陰極と接続される。前記発光二極管ＬＥＤ１の陽極が第一電源ＶＣＣに接続される。
【００１０】
好ましい実施形態において、前記電磁コイル駆動電路はＭＯＳ管Ｑ３と電磁コイルＬを含み、前記ＭＯＳ管Ｑ３のゲートは前記光線測定電路の出力端と接続され、ＭＯＳ管Ｑ３のソースを接地し、ＭＯＳ管Ｑ３のドレインが電磁コイルＬの陽極に接続され、前記電磁コイルＬの陰極が第一電源ＶＣＣに接続される。
【００１１】
好ましい実施形態において、前記電磁コイル駆動電路はさらにコンデンサＣ１を含み、前記コンデンサＣ１が第一電源ＶＣＣとアースの間に接続される。
【００１２】
好ましい実施形態において、前記光線測定電路はさらに第四抵抗Ｒ４、第五抵抗Ｒ５と第四三極管Ｑ４を含み、前記第四抵抗Ｒ４と第五抵抗Ｒ５が直列接続されて第二電源の陽陰極の間に接続され、前記第四抵抗Ｒ４と第五抵抗Ｒ５の共通ポートが前記第四三極管Ｑ４のベースに接続され、前記第四三極管Ｑ４のコレクターが前記光感応二極管Ｄ１の陰極に接続され、前記第四三極管Ｑ４の発射極が前記第一電源ＶＣＣに接続される。
【００１３】
好ましい実施形態において、前記第一三極管Ｑ１はＮＰＮ型三極管である。
【００１４】
好ましい実施形態において、前記第二三極管Ｑ２はＮＰＮ型三極管である。
【００１５】
好ましい実施形態において、前記ＭＯＳ管Ｑ３はＮ型ＭＯＳ管である。
【００１６】
好ましい実施形態において、前記第四三極管Ｑ４はＰＮＰ型三極管である。
【発明の効果】
【００１７】
本技術は背景技術と比べ、以下のメリットがある。
【００１８】
１、玩具に光感応センサーを取り付け、玩具の光感応センサーを利用して知能機械の運行プログラムが提供する明るさの変化信号を採集して玩具の動作を制御し、つまり、識別した知能機械のタッチパネルの明るさ変化に基づいてＬＥＤを駆動させて点灯、消灯又は明滅を実施させ、又は前記玩具を駆動させて振動させ、このことで、知能機械と実体玩具の間の有効なインタラクションを実現することができる。
【００１９】
２、玩具に光線測定電路、ＬＥＤ駆動電路の入力と電磁コイル駆動電路を設置して玩具の制御を実現し、光線測定電路の入力を直接ＬＥＤ駆動電路と電磁コイル駆動電路の駆動信号とし、電路構造が簡単で製造コストが低く、実現しやすいメリットを持っている。
【図面の簡単な説明】
【００２０】
【図１】実施例の本発明の玩具と知能機械の構造図である。
【図２】実施例の本発明の玩具が知能機械に放置される時の構造図である。
【図３】実施例本発明の玩具の電路ブロック図である。
【図４】実施例本発明の玩具の電路図である。
【発明を実施するための形態】
【００２１】
以下、図面と実施例を結合して本説明の更なる説明をする。
【実施例】
【００２２】
図１から図３に示すように、本発明の光線の強度に基づいて識別するインタラクション・システムは以下を含む：
知能機械２を含む、前記知能機械２は玩具とのインタラクションを実現するタッチパネル及び知能機械の間に設けられてタッチパネルに明るさの変化を表示させる対応プログラムを備える；
玩具１を含む、前記玩具１は前記知能機械２のタッチパネルにフィットして設けられ、前記玩具１の底部に前記知能機械のタッチパネルの明るさの変化を識別する光感応センサーが設けられ、前記光感応センサーが光線測定電路１１を含む。前記玩具１はさらにＬＥＤ駆動電路１２と電磁コイル駆動電路１３を含む。前記光線測定電路１１の出力はそれぞれＬＥＤ駆動電路１２の入力と電磁コイル駆動電路１３の入力とに接続され、光線測定電路１１は知能機械のタッチパネルの表示画面の明るさ信号を測定し、ＬＥＤ駆動電路１２と電磁コイル駆動電路１３に駆動信号を出力し、ＬＥＤ駆動電路１２が玩具のＬＥＤを駆動させて点灯、消灯又は明滅を実行し、電磁コイル駆動電路１３を玩具１とともに振動させる。
【００２３】
光線測定電路１１は光感応二極管Ｄ１、第一抵抗Ｒ１、第二抵抗Ｒ２と第一三極管Ｑ１を含む。前記光感応二極管Ｄ１の陰極が第一電源ＶＣＣと接続され、陽極が第一抵抗Ｒ１を通して接地する。前記光感応二極管Ｄ１と第一抵抗Ｒ１の共通ポートが導線を通して前記第一三極管Ｑ１のベースと接続される。前記第一三極管Ｑ１の発射極を接地し、第一三極管Ｑ１のコレクターはそれぞれ前記第二抵抗Ｒ２の一端、前記ＬＥＤ駆動電路の入力端と前記電磁コイル駆動電路の出力端と接続される。前記第二抵抗Ｒ２のもう一端が第一電源ＶＣＣと接続される。前記光線測定電路の動作原理は以下である。光線二極管Ｄ１が抵抗Ｒ１と分圧電路を形成し、知能機械のタッチパネルに光線がある、又は一定の明るさになる時（閾値を設定する方式でもよい）に、ＮＰＮ型三極管Ｑ１をオンして、Ｍ＋点の位置が低レベルになる。知能機械のタッチパネルに光線がない、又は一定の明るさより小さい時（つまり、閾値を設定する方式）に、ＮＰＮ型三極管Ｑ１をオフして、Ｍ＋点の位置が高レベルになる。
【００２４】
ＬＥＤ駆動電路１２は第二三極管Ｑ２、第三抵抗Ｒ３と発光二極管ＬＥＤ１を含む。前記第二三極管Ｑ２のベースが前記光線測定電路の出力端と接続され、第二三極管Ｑ２の発射極を接地し、第二三極管Ｑ２のコレクターは前記第三抵抗Ｒ３を通して前記発光二極管ＬＥＤ１の陰極と接続される。前記発光二極管ＬＥＤ１の陽極が第一電源ＶＣＣに接続される。前記ＬＥＤ駆動電路の動作原理は以下である。Ｍ＋は高レベルであると、ＮＰＮ型三極管Ｑ２をオンして、ＬＥＤが明るくなる。Ｍ＋は低レベルであると、ＮＰＮ型三極管Ｑ２をオフして、ＬＥＤが消灯する。Ｍ＋のレベルがホッピングを継続する（高低レベルを転換する）と、ＬＥＤが明滅する。
【００２５】
電磁コイル駆動電路１３はＭＯＳ管Ｑ３と電磁コイルＬを含み、前記ＭＯＳ管Ｑ３のゲートは前記光線測定電路の出力端と接続され、ＭＯＳ管Ｑ３のソースを接地し、ＭＯＳ管Ｑ３のドレインが電磁コイルＬの陽極に接続され、前記電磁コイルＬの陰極が第一電源ＶＣＣに接続される。前記電磁コイル駆動電路の動作原理は以下である。Ｍ＋は高レベルであると、Ｎ型ＭＯＳ管Ｑ３をオンして、コイルに動作を開始させる。Ｍ＋は低レベルであると、ＭＯＳ管Ｑ３がオフになり、コイルが動作しない。Ｍ＋のレベルがホッピングを継続する（高低レベルを転換する）と、コイルが振れて玩具全体とともに振動する。
【００２６】
電磁コイル駆動電路１３はさらにコンデンサＣ１を含み、前記コンデンサＣ１が第一電源ＶＣＣとアースの間に接続される。コイルが動作する時に電圧が低くなるので、前記コンデンサＣ１が保護作用を発揮する。
【００２７】
さらに、前記光線測定電路１１はさらに第四抵抗Ｒ４、第五抵抗Ｒ５と第四三極管Ｑ４を含み、前記第四抵抗Ｒ４と第五抵抗Ｒ５が直列連接されて第二電源（つまり５Ｖ電源）の陽陰極の間に接続され、前記第四抵抗Ｒ４と第五抵抗Ｒ５の共通ポートが導線を通して前記第四三極管Ｑ４のベースに接続され、前記第四三極管Ｑ４のコレクターが前記光感応二極管Ｄ１の陰極に接続され、前記光感応二極管Ｄ１の陽極が第一抵抗Ｒ１を通して接地し、前記第四三極管Ｑ４の発射極が前記第一電源ＶＣＣに接続される。本電路の役割はＰＮＰ型三極管Ｑ４を使用して玩具が充電する時に、玩具の電源を遮断することであり、このことで、玩具が充電する時に動作できない。
【００２８】
以上述べた通り、本発明は玩具に光感応センサーを取り付け、玩具の光感応センサーを利用して知能機械の運行プログラムから提供される明るさの変化信号を採集し、知能機械は携帯電話でもいいし、タブレット等でもよい。そのことで、玩具の動作が制御できる。つまり、識別した知能機械のタッチパネルの明るさ変化に基づいてＬＥＤを駆動させて点灯、消灯又は明滅を実施させ、又は前記玩具を駆動させて振動させ、このことで、知能機械と実体玩具の間の有効なインタラクションを実現することができる。本発明は玩具に光線測定電路、ＬＥＤ駆動電路の入力と電磁コイル駆動電路を設置して玩具動作を制御し、光線測定電路の出力を直接ＬＥＤ駆動電路と電磁コイル駆動電路の駆動信号とし、電路構造が簡単で、製造コストが低く、実現しやすいメリットを持っている。
【００２９】
前記実施例は本発明の好ましい実施例であり、本発明は実施例に限定されるものではなく、本発明の技術実質に基づき、前記実施例に対するいかなる簡単な修正、類似変化及び修飾も本発明技術案の保護範囲に属する。
【産業上の利用可能性】
【００３０】
本発明は知能機械と玩具を一つのインタラクション・システムに形成する。知能機械は現有の携帯電話でもよいし、タブレット等の設備でもよい。工業的にはすでに実現されており、知能機械の中に設けられてタッチパネルに明るさの変化を表示させる対応プログラムも工業上、簡単に実現できることである。知能機械とインタラクトする玩具は光線測定電路を利用して知能機械のタッチパネルの明るさの変化信号を採集し、且つ光線測定電路の出力を直接ＬＥＤ駆動電路と電磁コイル駆動電路の駆動信号とすることで、知能機械と実体玩具の有効なインタラクションが実現できる。本発明の光線測定電路、ＬＥＤ駆動電路と電磁コイル駆動電路は光感応二極管、抵抗、三極管、発光二極管、ＭＯＳ管、コンデンサと電磁コイルなどの通常の電子部品を使って構成され、工業では便利に実現できる。しかも、光感応二極管、抵抗、三極管、発光二極管、ＭＯＳ管、コンデンサと電磁コイルから製造された光線測定電路、ＬＥＤ駆動電路と電磁コイル駆動電路の加工が工業的に便利である。
【図１】
2019525778.tif 000003
【図２】
2019525778.tif 000004
【図３】
2019525778.tif 000005
【図４】
2019525778.tif 000006
【国際調査報告】
2019525778.tif 000007
2019525778.tif 000008
2019525778.tif 000009
2019525778.tif 000010
2019525778.tif 000011